(57)【要約】【課題】  健康管理支援システムにおいて、被検者側端末の改造を最小限または改造なしに極めて容易にセンサの追加や変更を可能とする。【解決手段】  接続アダプタ４は、センサ３から生体情報を含むデータが入力され、かつ入力されたデータの通信方式を予め定められた特定の通信方式に変換するインターフェース部４１Ａ〜４１Ｃと、特定の通信方式で生体情報を含むデータを送信する赤外線通信部４３を備える。被検者側端末５は、接続アダプタ４の赤外線通信部４３と特定の通信方式による通信を実行して生体情報を含むデータを受信する赤外線通信部５１と、赤外線通信部５１で受信した生体情報を通信ネットワーク２を介してサーバー装置１に送信する通信部５３を備える。【選択図】図２
2006254949.tif 000002
【特許請求の範囲】
【請求項１】
人体の生体情報を測定して出力するセンサと、
前記センサから前記生体情報を含むデータが入力され、かつ入力されたデータの通信方式を予め定められた特定の通信方式に変換するインターフェース部と、前記特定の通信方式で前記生体情報を含むデータを送信する通信部とを備える接続アダプタと、
前記接続アダプタの通信部と前記特定の通信方式による通信を実行して前記生体情報を含むデータを受信する第１の通信部と、前記第１の通信部で受信した前記生体情報を通信ネットワークへ送信する第２の通信部とを備える被検者側端末と
を備える健康データ収集装置。
【請求項２】
前記接続アダプタから被検者側端末に送信されるデータは、前記生体情報に加え、センサを識別するための情報であるセンサ情報を含むことを特徴とする請求項１に記載の健康データ収集装置。
【請求項３】
前記接続アダプタは、前記インターフェース部を複数有することを特徴とする請求項１または請求項２に記載の健康データ収集装置。
【請求項４】
前記接続アダプタは、前記被検者側端末から給電されることを特徴とする請求項１から請求項３のいずれか１項に記載の健康データ収集装置。
【請求項５】
前記接続アダプタは、電池を内蔵していることを特徴とする請求項１から請求項３のいずれか１項に記載の健康データ収集装置。
【請求項６】
前記接続アダプタの通信部と、前記被検者側端末の第１の通信部は無線通信でデータの送受信を行うことを特徴とする請求項１から請求項５のいずれか１項に記載の健康データ収集装置。
【発明の詳細な説明】
【技術分野】
【０００１】
本発明は被検者の生体情報をセンサで収集してサーバーに送信し、サーバー装置に記憶された生体情報を医師端末で閲覧する健康管理支援システムに使用される健康データ収集装置に関する。
【背景技術】
【０００２】
従来のこの種の健康管理支援システムに用いられる生体情報を測定するセンサと、センサから生体情報を収集してサーバー装置へ送信する健康データ収集装置は、特許文献１に示されているようなものが一般的であった。図４にこの特許文献１に記載の装置（以下、電子救急箱という。）を用いた従来の健康管理支援システムのシステム図を示す。電子救急箱２１はセンサである血圧計２２、心電計２３，耳孔体温計２４，血糖計２５、電子スコープ２６等を内部に収納している。また、電子救急箱２１は、ディスプレイ２７，スピーカ２８，マイク２９等も内蔵している。使用者が耳孔体温計２４、血圧計２２等のセンサで測定した体温や血圧値等の生体情報は、この専用の電子救急箱２１に収集される。生体情報１０は、電話回線等の通信ネットワーク２によって電子救急箱２１に接続されている医療機関等に設置したサーバー装置１に送信される。サーバー１に送信された生体情報を基に医療機関等で作成された使用者の健康状態や推奨する食事の内容等の健康アドバイス情報１１が、予め登録された使用者の電子救急箱２１に送信される。あるいは、予め登録された使用者の電話番号に電話することや登録された住所に書簡等を送付することでアドバイス情報が被検者に通知される。
【０００３】
【特許文献１】特開２０００−８３９０７号公報
【発明の開示】
【発明が解決しようとする課題】
【０００４】
しかしながら、このような健康管理支援システムにおいて、各センサと電子救急箱ないしは被検者側端末のインターフェースに統一された規格はなく、メーカー毎に通信方式が異なり、同一メーカーであっても機種によって通信方式が異なることもある。このため、いったん健康管理支援システムを設置した後に、新たなセンサを追加したり、あるセンサを同一機能の別のセンサに変更しようとしても、追加または変更するセンサのインターフェースに合わせて被検者側端末のインターフェースを改造する必要がある。医療用具であるセンサには安全性に関する厳格な法規が定められているので、センサを追加するには規格の再取得を含めた調整が必要となる。そのため、必要なコストや時間的に、センサの追加は事実上非常に困難であった。
【０００５】
本発明は、このような従来の課題を解決するためになされたもので、被検者側端末の改造を最小限または改造なしに極めて容易にセンサの追加や変更を可能とすることを目的としている。
【課題を解決するための手段】
【０００６】
前記従来の課題を解決するために本発明の健康データ収集装置は、人体の生体情報を測定して出力するセンサと、前記センサから前記生体情報を含むデータが入力され、かつ入力されたデータの通信方式を予め定められた特定の通信方式に変換するインターフェース部と、前記特定の通信方式で前記生体情報を含むデータを送信する通信部とを備える接続アダプタと、前記接続アダプタの通信部と前記特定の通信方式による通信を実行して前記生体情報を含むデータを受信する第１の通信部と、前記第１の通信部で受信した前記生体情報を通信ネットワークへ送信する第２の通信部とを備える被検者側端末とを備える構成としたものである。
【０００７】
本発明の健康データ収集装置では、被検者側端末はセンサから生体情報等のデータを直接的に収集するのではなく、接続アダプタを介してセンサからデータを収集する。これによりセンサを追加または変更しても、健康管理支援システムの中心的な装置の一つである被検者側端末の改造を最小限に留め、あるいは改造の必要がない。従って、非常に拡張性の高い健康管理支援システムを実現することが可能となる。特に、医療用具であるセンサには安全性に関する厳格な法規が定められているが、現実的なコスト及び時間でセンサの追加や変更が可能である。また、センサが廃品種となり同一のセンサが新たに供給されない場合、同様の機能を有する別の代替のセンサを使用しなければならない。このような場合においても、被検者側端末の改造は最小限で留まり、あるいは改造の必要がないので、非常に柔軟な対応が可能である。
【０００８】
前記接続アダプタから被検者側端末に送信されるデータは、前記生体情報に加え、センサを識別するための情報であるセンサ情報を含むことが好ましい。これによって一つの被検者側端末でデータを収集するセンサが複数ある場合でも、被検者側端末はハードウェア的に一つのインターフェースで、個々のデータがいずれのセンサから送信されたものであるのかを認識できる。換言すれば、センサが複数ある場合でも、被検者側端末はハードウェア的に一つのインターフェースで対応できる。従って、被検者側端末のハードウェアを簡易化し、被検者側端末の小型軽量化及び低コスト化が可能となる。
【０００９】
前記接続アダプタは、前記インターフェース部を複数有することが好ましい。異なったインターフェースを有する多くの種類のセンサから被検者側端末にデータを収集することが可能となる。詳細には、複数のセンサの通信方式の相違は個々のインターフェース部で吸収され、接続アダプタの通信部から被検者側端末の第１の通信部へは共通の通信方式で個々のセンサから収集されたデータが送信される。
【００１０】
前記接続アダプタは、前記被検者側端末から給電されることが好ましい。これにより接続アダプタ専用のＡＣ電源を設け、このＡＣ電源から接続アダプタに給電する場合と比較して、接続アダプタと被検者側端末を含む全体的なハードウェア的な構成を大幅に簡素化できるので、安全性に関する法規の要求を満たすための対応が容易である。また、接続アダプタの外形を非常に小さくできるので、接続アダプタを小型軽量化できる。
【００１１】
代案としては、前記接続アダプタに電池を内蔵してもよい。この場合も、接続アダプタ専用のＡＣ電源を設ける場合と比較して、ハードウェア的な構成を大幅に簡素化し、かつ接続アダプタを小型化軽量化できる。
【００１２】
前記接続アダプタの通信部と、前記被検者側端末の第１の通信部は無線通信でデータの送受信を行うことが好ましい。これによって被検者側端末の外部に信号伝送用の電極等を配設する必要がないので、安全性が向上し、被検者側端末の構造も簡素化できる。無線通信には、例えば赤外線通信や電波通信がある。
【発明の効果】
【００１３】
本発明の健康データ収集装置は、センサから生体情報を含むデータが入力され、かつ入力されたデータの通信方式を予め定められた特定の通信方式に変換するインターフェース部と、この特定の通信方式で前記生体情報を含むデータを送信する通信部とを有する接続アダプタを備える。また、接続アダプタの通信部から被検者側端末の第１の通信部へ特定の通信方式で生体情報を含むデータが送信される。従って、健康管理支援システムの中心となる装置の一つである被検者側端末に最小限の改造を行うだけで、または被検者側端末を改造することなく新たなセンサの追加やセンサの交換が可能であり、非常に拡張性と柔軟性の高い健康管理支援システムを実現することが可能となる。特に、安全性に関する法令の要求を満たすための対応や、センサが廃品種となった場合の代替のセンサの導入を容易に行うことができる。
【００１４】
また、接続アダプタから被検者側端末に送信されるデータが前記生体情報に加え、センサを識別するための情報であるセンサ情報を含むことで、被検者側端末でデータを収集するセンサが複数ある場合でも、被検者側端末はハードウェア的に一つのインターフェースで対応できる。これによって被検者側端末のハードウェアを簡易化し、被検者側端末を小型軽量化及び低コスト化できる。
【００１５】
さらに、接続アダプタがインターフェース部を複数有することにより、異なったインターフェースを有する多くの種類のセンサから被検者側端末にデータを収集することが可能となる。
【発明を実施するための最良の形態】
【００１６】
（第１の実施の形態）
図１は本発明の第１の実施の形態の健康データ収集装置を備える健康管理支援システムのシステム図を示す。
【００１７】
この健康ネットワークシステムは、サーバー装置１、通信ネットワークの一例であるインターネット２、センサ３、接続アダプタ４、被検者側端末５、及び医師側端末６を備える。センサ３、接続アダプタ４、及び被検者側端末５が本発明の健康データ収集装置を構成する。
【００１８】
センサ３で測定された被検者の生体情報は、接続アダプタ４を介して被検者側端末５に収集される。被検者側端末５は、いったん記憶した生体情報をインターネット２を介してサーバー装置１へ送信する。
【００１９】
サーバー装置１は、被検者側端末４から生体情報を受信する。また、サーバー装置１は受信した生体情報を記憶する。
【００２０】
医師側端末６により、サーバー装置１に記憶された生体情報を閲覧できる。医師、看護師等は医師側端末６で閲覧した生体情報に基づいて、被検者側端末５の使用者である被検者の健康状態を判断できる。医師側端末６は、被検者に対するアドバイスを作成する機能を有する。作成されたアドバイスはサーバー装置１を介して被検者側端末５に送信され、被検者の閲覧に供される。
【００２１】
図２は、センサ３、接続アダプタ４、及び被検者側端末５の詳細を示す。
【００２２】
この例では、センサ３として、血圧計３ａ、血糖計３ｂ、及び血中酸素飽和濃度計３ｃが設けられている。これらのセンサ３は、測定した生体情報（血圧、血糖値、及び血中飽和酸素濃度）と共に、個々のセンサ３を識別するための情報であるセンサ情報を出力する。このセンサ情報には、例えばセンサの種類、センサを製造したメーカー名、センサの機種等がある。
【００２３】
血圧計３ａは±１２Vのシリアル信号伝送を行い、血糖計３ｂは０〜５Ｖのシリアル伝送を行い、血中酸素飽和濃度計３ｃは０〜−５Ｖのシリアル信号伝送を行う。これら３つのセンサ３は、いずれもセンサ本体に信号伝送用の端子としてステレオミニジャック３１Ａ，３１Ｂ，３１Ｃを備えている。接続アダプタ４は、各センサ３に対応する信号伝送用の端子として、３つのステレオミニジャック４１Ａ，４１Ｂ，４１Ｃを備えている。各センサ３のステレオミニジャック３１Ａ〜３１Ｃと、対応する接続アダプタ４のステレオミニジャック４１Ａ〜４１Ｃは、それぞれ両端にステレオミニプラグ８を有するケーブル９Ａ，９Ｂ，９Ｃで接続されている。
【００２４】
ステレオミニジャック３１Ａ〜３１Ｃが有する３種類の極ないしはピンのうち、各センサ３はそれぞれ２種類のピンを使用し、かつ使用するピンはセンサ３毎に異なる。詳細には、血圧計３ａは第１及び第２のピン３１ａ，３１ｂを使用し、血糖計３ｂは第２及び第３のピン３１ｂ，３１ｃを使用し、血中酸素飽和濃度計３ｃは第１及び第３のピン３１ａ，３１ｃを使用している。これと対応して、接続アダプタ４が備えるステレオミニジャック４１Ａ〜４１Ｃも、３種類のピンのうち２種類が後述するインターフェース部４２Ａ〜４２Ｃへの信号の伝送に使用される。詳細には、血圧計３ａが接続されるステレオミニジャック４１Ａの第１及び第２のピン４１ａ，４１ｂが対応するインターフェース部４２Ａに接続され、血糖計３ｂが接続されるステレオミニジャック４１Ｂの第２及び第３のピン４１ｂ，４１ｂがインターフェース部４２Ｂに接続され、血中酸素飽和度計３ｃが接続されるステレオミニジャック４１Ｃの第１及び第３のピン４１ａ，４１ｃが対応するインターフェース部４２Ｃに接続されている。このように各センサが異なる組み合わせでステレオミニジャック３１Ａ〜３１Ｃ，４１Ａ〜４１Ｃの極ないしはピンを使用することで、各センサ３を接続アダプタ４側の正しいステレオピンジャック４１Ａ〜４１Ｃに接続して場合にのみ、センサ３から接続アダプタ４へのデータの伝送が可能となる。
【００２５】
接続アダプタ４は、それぞれ血圧計３ａ、血糖計３ｂ、及び血中酸素飽和濃度計３ｃに対応する３つの変換回路ないしはインターフェース部４２Ａ，４２Ｂ，４２Ｃを備える。各センサ３から接続アダプタ４に入力される生体情報とセンサ情報を含むデータの通信方式ないしはプロトコルは互いに異なる。各インターフェース部４２Ａ〜４２Ｃは、これら互いに異なる各センサ３から入力されたデータのプロトコルを共通のプロトコルに変換する機能を有する。換言すれば、インターフェース部４２Ａ〜４２Ｃは、各センサ３がデータを送信する際の通信方式ないしはプロトコルの相違を吸収する機能を有する。仮に、血圧計３ａ、血糖計３ｂ、及び血中酸素飽和濃度計３ｃのプロトコルをそれぞれプロトコルＡ、Ｂ、及びＣとする。この場合、インターフェース部４２Ａは、血圧計３ａから入力されたデータのプロトコルをプロトコルＡから特定のプロトコルＸに変換する。また、インターフェース部４２Ｂは、血糖計３ｂから入力されたデータのプロトコルをプロトコルＢから特定のプロトコルＸに変換する。さらに、インターフェース部４２Ｃは、血中酸素飽和濃度計３ｃから入力されたデータのプロトコルをプロトコルＣからプロトコルＸに変換する。
【００２６】
さらに、接続アダプタ４は、各センサ３から収集した生体情報及びセンサ情報を含むデータを被検者側端末５に送信するための赤外線通信部４３を備える。赤外線通信部４３は、被検者側端末５の赤外線通信部５１と赤外線通信を実行し、それによってセンサ３から収集したデータを被検者側端末５１に送信する。この接続アダプタ４の赤外線通信部４３と被検者側端末５の赤外線通信部５１との間の赤外線通信のプロトコルは、インターフェース部４２Ａ〜４２Ｃで変換した共通のプロトコル（前述の例におけるプロトコルＸ）である。
【００２７】
被検者側端末５は、前述の赤外線通信部５１に加え、記憶部５２、通信部５３、表示部５４、操作部５５、制御部５６、及び電源装置５７を備える。記憶部５２は赤外線通信部５１で受信した生体情報及びセンサ情報を記憶する。通信部５３は、記憶部５２に記憶された生体情報やセンサ情報をサーバー装置１へインターネット２を介して送信する。表示部５４は、例えば液晶表示装置であり、被検者側端末５の動作状態や生体情報等が表示される。操作部５５は、例えば表示部５４に重ねて配置されたタッチパネルであり、被検者側端末５の使用者が操作命令を入力するために使用される。制御部５６は、操作部５５から入力される操作命令に基づいて、赤外線通信部５１、記憶部５２、通信部５３、表示部５４等の動作を制御する。
【００２８】
ここでデータの伝送経路を説明すると、まず各センサ３で測定された生体情報はセンサ情報と共に出力される。各センサ３から出力されたデータは、ケーブル９Ａ〜９Ｃを介してインターフェース部４２Ａ〜４２Ｃに入力される。インターフェース部４２Ａ〜４２Ｃでは各センサ３からのデータのプロトルが共通ないしは特定のプロトコルに統一される（各データのプロトコルはプロトコルＡ，Ｂ，ＣからプロトコルＸに統一される。）。その後、接続アダプタ４の赤外線通信部４３と被検者側端末５の赤外線通信部５１が前述の特定のプロトコル（プロトコルＸ）で赤外線通信を行うことで、データが接続アダプタ４から被検者側端末５に送信される。記憶部５２でいったん記憶された生体情報は通信部５３によって被検者側端末５３からサーバー装置１へインターネット２を介して送信される。
【００２９】
この健康管理支援システムでは、被検者側端末５はセンサ３から生体情報等のデータを直接的に収集するのではなく、接続アダプタ４を介してセンサ３からデータを収集する。そのため、センサ３を追加または変更しても、健康管理支援システムの中心的な装置の一つである被検者側端末３の改造を最小限に留め、あるいは改造の必要がない。例えば、当初は血圧計３aだけが使用されており、これに後ほど血糖計３bや血中酸素飽和度計３ｃを追加する場合、接続アダプタ４がなければ、追加するセンサ３とのインターフェースを確保するために、被検者側端末５を大幅に改造しなければならない。しかしながら、新たに血糖計３ｂや血中酸素飽和度計３ｃに対応した接続アダプタ４を供給することにより、被検者側端末５は全く改造する必要がない。具体的には、追加または変更するセンサ３に対応したインターフェース部を備え、かつ被検者側端末５とのプロトコルは同一（プロトコルＸ）である接続アダプタ４を製作すれば被検者側端末５に改造等を行うことなく、追加または変更したセンサ３から被検者側端末５へのデータ収集が可能となる。従って、非常に拡張性の高い健康管理支援システムを実現することが可能となる。特に、医療用具であるセンサには安全性に関する厳格な法規が定められているが、現実的なコスト及び時間でセンサの追加や変更が可能である。また、センサが廃品種となり同一のセンサが新たに供給されない場合、同様の機能を有する別の代替のセンサを使用しなければならない。このような場合においても、被検者側端末５の改造は最小限で留まり、あるいは改造の必要がないので、非常に柔軟な対応が可能である。被検者側端末５は改造せずに新規に接続アダプタ４を供給すれば追加または変更したセンサ３の使用が可能となるので非常に信頼性が高い。また、被検者側端末５の改造のために生体情報の収集が中断することもなく、継続的な生体情報の測定が可能である。
【００３０】
前述のように、接続アダプタ４から被検者側端末５に送信されるデータは、生体情報に加えてセンサ情報を含む。これによって被検者側端末５はハードウェア的には一つのインターフェース、すなわち赤外線通信部５１を備えるだけであるが、個々のデータが複数のセンサ３（血圧計３ａ、血糖計３ｂ、及び血中飽和時計３ｃ）のうちのいずれから送信されたものであるのかを認識できる。換言すれば、被検者側端末５はハードウェア的に一つのインターフェースで複数のセンサからのデータの収集に対応している。この点で被検者側端末５のハードウェアが簡易化されており、被検者側端末５の小型軽量化及び低コスト化が可能である。
【００３１】
本実施の形態では、接続アダプタ４が複数（３個）のインターフェース部４２Ａ〜４２Ｃを有することで、３種類の通信方式の異なるセンサ３から被検者側端末５へのデータ収集を可能としている。この既存のインターフェース部４２Ａ〜４２Ｃを使用して他のセンサが使用できる可能性もある。
【００３２】
前述のように、接続アダプタ４と被検者側端末５は、赤外線通信部４３，５１間の赤外線通信でデータの送受信を行う。従って、被検者側端末５の外部に信号伝送用の電極等を配設する必要がないので、安全性が向上し、被検者側端末５の構造をさらに簡素化できる。接続アダプタ４と被検者側端末５の通信として電波通信を採用してもよい。この場合も同様に安全性が向上し、被検者側端末５の構造が簡素化される。
【００３３】
なお、被検者側端末５とサーバー装置１を接続する通信ネットワークとしてインターネットを採用しているので、信頼性の高い健康管理支援システムを非常に安価に構築できる。被検者側端末５とサーバー装置１を電話回線等の一般通信回線で接続しても、同様に信頼性の高い健康管理支援システムを非常に安価に構築できる。
【００３４】
次に、接続アダプタ４への給電に関して説明する。図２に示すように、本実施の形態では、被検者側端末５の電源装置５７をリード線６１で接続アダプタ４の電源供給端子４４に接続し、この電源供給端子４４を介して接続アダプタ４の各回路に電力が供給されている。これにより接続アダプタ４独自にＡＣ電源等へ接続する必要がなく、ハードウェア構成が大幅に簡素化されるので、接続アダプタ４の小型軽量化を図ることができる。
【００３５】
以上のように、第１の実施形態の健康データ収集装置は、センサ３から生体情報を含むデータが入力され、かつ入力されたデータの通信方式を予め定められた特定の通信方式に変換するインターフェース部４２Ａ〜４２Ｃと、この特定の通信方式で生体情報を含むデータを送信する赤外線通信部４３とを有する接続アダプタ４を備える。また、接続アダプタ４の赤外線通信部４３から被検者側端末５の赤外線通信部５１へ特定の通信方式で生体情報を含むデータが送信される。従って、健康管理支援システムの中心となる装置の一つである被検者側端末５に最小限の改造を行うだけで、または被検者側端末５を改造することなく新たなセンサの追加やセンサの交換が可能であり、非常に拡張性と柔軟性の高い健康管理支援システムを実現することが可能となる。特に、安全性に関する法令の要求を満たすための対応や、センサが廃品種となった場合の代替のセンサの導入を容易に行うことができる。
【００３６】
（第２の実施の形態）
図３に示す本発明の第２の実施の形態では、接続アダプタ４は電池６２を内蔵し、この電池６２により接続アダプタ４の各回路に電力が供給されている。接続アダプタ４に電池６２を内蔵した場合にも、接続アダプタ４独自にＡＣ電源等へ接続する必要がなく、ハードウェア構成が大幅に簡素化されるので、接続アダプタ４の小型軽量化を図ることができる。
【００３７】
第２の実施の形態のその他の構成及び作用は、第１の実施の形態と同様であるので、同一の要素には同一の符号を付して説明を省略する。
【産業上の利用可能性】
【００３８】
以上のように本発明にかかる健康データ収集装置により、健康管理支援システムの中心装置の一つである被検者側端末の改造を最小限、または改造なしに新たなセンサを追加することができ、非常に拡張性の高い健康管理支援システムを実現することが可能となる。特に、センサが廃品種になり供給が不可になった場合、どうしても新規に代替のセンサに対応しなければならない。このようなときにおいても非常にフレキシブルに対応できる。
【００３９】
また、接続アダプタから患者端末に送信されるデータには、生体情報の他にセンサの種類、メーカー名、機種等のセンサ情報を含むことで被検者側端末のインターフェースがハードウェア的に一つで対応することができ、ハードウェアの負担が減り被検者側端末の小型軽量化及び低コスト化が可能となるなど大きな効果を得ることができる。
【図面の簡単な説明】
【００４０】
【図１】本発明の第1の実施の形態の健康データ収集装置を含む健康管理支援システムのシステム図。
【図２】本発明の第1の実施の形態の健康データ収集装置を含む健康管理支援システムの接続アダプタ及び被検者側端末の構成図。
【図３】本発明の第２の実施の形態の健康データ収集装置を含む健康管理支援システムの接続アダプタ及び被検者側端末の構成図。
【図４】従来の健康管理支援システムのシステム図。
【符号の説明】
【００４１】
１  サーバー装置
２  インターネット（通信ネットワーク）
３  センサ
３ａ  血圧計
３ｂ  血糖計
３ｃ  血中酸素飽和度計
４  接続アダプタ
５  被検者側端末
６  医師側端末
８  ステレオミニプラグ
９Ａ，９Ｂ，９Ｃ  コード
３１Ａ，３１Ｂ，３１Ｃ，４１Ａ，４１Ｂ，４１Ｃ  ステレオミニジャック
４２Ａ，４２Ｂ，４２Ｃ  インターフェース部
４３，５１  赤外線通信部
４４  電源供給端子
５２  記憶部
５３  通信部
５４  表示部
５５  操作部
５６  制御部
５７  電源装置
６１  リード線
６２  電池
【図１】
2006254949.tif 000003
【図２】
2006254949.tif 000004
【図３】
2006254949.tif 000005
【図４】
2006254949.tif 000006